(57)【要約】      （修正有）【課題】使用時の滑り止め機能と手のツボを刺激するツボ押し機能とを併せ持ち、製造時間の短縮を図ることができる飲用食器を提供する。【解決手段】略円筒状の周壁部１１０と周壁部１１０の一端に一体的に設けられた底部１１２とを含む飲用食器１００であって、周壁部１１０は、その外面において周壁部１１０の径方向に放射状でかつ先端が先細形状に突出する複数の突起１２１〜１２４、１３１〜１３３からなる複数の突起列１２０、１３０が一体的に形成されている。複数の突起列１２０、１３０は、周壁部１１０の高さ方向に、周壁部１１０に沿って３つ又は４つの突起１２１〜１２４、１３１〜１３３が直列に並ぶように配置されている。【選択図】図１
0003212393.tif 000002
【実用新案登録請求の範囲】
【請求項１】
略円筒状の周壁部と前記周壁部の一端に一体的に設けられた底部とを含む飲用食器であって、前記周壁部は、その外面において前記周壁部の径方向に放射状でかつ先端が先細形状に突出する複数の突起からなる複数の突起列がさらに一体的に形成されていることを特徴とする飲用食器。
【請求項２】
前記複数の突起列は、前記周壁部の高さ方向に前記周壁部に沿って３つ又は４つの前記突起が直列に並ぶように配置されていることを特徴とする請求項１に記載の飲用食器。
【請求項３】
前記複数の突起列は、前記突起が３つ直列に並んだ第１の突起列と、前記突起が４つ直列に並んだ第２の突起列とが、前記周壁部の周方向に交互に配置されていることを特徴とする請求項２に記載の飲用食器。
【請求項４】
前記複数の突起列の各々において、直列に並んだ隣り合う突起どうしの間隔が、人間の手における隣り合う指の腹部の間隔に略等しくなるように設定されていることを特徴とする請求項２又は３に記載の飲用食器。
【請求項５】
前記周壁部、前記底部及び前記複数の突起列が、いずれも陶器で形成されていることを特徴とする請求項１〜４のいずれか１項に記載の飲用食器。
【考案の詳細な説明】
【技術分野】
【０００１】
本考案は、お茶やコーヒー等の飲料を飲むための飲用食器に関し、特に、使用時の滑り止め機能と手のツボを刺激するツボ押し機能とを併せ持つ飲用食器に関する。
【背景技術】
【０００２】
従来、熱いお茶等の飲料を飲む際に、高温のお茶を入れた湯飲み茶わん等を持ち上げようとすると、茶わんの側面に高温のお茶の熱さが伝達されるために、茶わんとの接触面積をできるだけ小さくしようとして指先で触る（保持する）こととなる。このとき、伝達される熱さを和らげようとすれば、茶わんの厚さを厚くすることで解消できるが、茶わん自体の重量が増加してしまうため、高温のお茶を入れた茶わんが指先で傾き易くなり、指先から滑落するおそれがある。
【０００３】
このような問題を解決するために、例えば特許文献１では、コップや茶わんの外周面に、多数の突部が形成された紙製又はプラスチック製の断熱筒を装着固定することにより、熱いものが入った重いコップでも手持ち滑落を防止して安全に持ち運びを可能とする断熱コップの構成が開示されている。
【先行技術文献】
【特許文献】
【０００４】
【特許文献１】特開２００３−８８４５７号公報
【考案の概要】
【考案が解決しようとする課題】
【０００５】
上記特許文献１に記載された断熱コップにおいては、弧形短冊状の紙製又はプラスチック製のブランクに、エンボス加工や熱間プレス成形により縦横方向に独立した多数の突部を分散点在させて断熱帯を形成し、当該断熱帯をコップの外周面に巻き付けて接着等により固定することで、高い作業性を得られるとともに大量生産で安価に実現可能であるとの効果が得られるとされている。
【０００６】
しかしながら、特許文献１に記載された断熱コップにおける断熱帯の突部は、単に手持ちの際の滑り止めの機能を果たすためのものであって、当該突部の形状や個数あるいは配置等の詳細については、特に検討や言及がなされていない。また、特許文献１に記載された断熱コップは、コップと断熱帯とを別々に製造した後に、断熱帯をコップの外周に取り付ける工程を要するため、製造時間や製造コストが追加的に必要となる。
【０００７】
そこで、本考案の目的は、飲用食器の外面に設けた突起に追加的な機能を付加するとともに、製造時間の短縮を図ることができる飲用食器を提供することにある。
【課題を解決するための手段】
【０００８】
上記課題を解決するために、本考案は、略円筒状の周壁部と前記周壁部の一端に一体的に設けられた底部とを含む飲用食器であって、前記周壁部は、その外面において前記周壁部の径方向に放射状でかつ先端が先細形状に突出する複数の突起からなる複数の突起列がさらに一体的に形成されていることを特徴とする。
【０００９】
かかる考案によれば、周壁部の外面に、当該周壁部の径方向に放射状でかつ先端が先細形状に突出する複数の突起からなる複数の突起列が一体的に形成されていることにより、規則的に配置された突起列が、手持ちの際に手の指あるいは掌のツボ押しをすることで、脳に刺激を与えて疲労回復やリラックス効果等の健康増進を図る機能を追加できるとともに、当該突起列と周壁部とが一体的に形成されていることにより、突起列を取り付ける追加的な工程を要せず、製造時間の短縮も図ることが可能となる。
【００１０】
上記の考案において、前記複数の突起列は、前記周壁部の高さ方向に前記周壁部に沿って３つ又は４つの前記突起が直列に並ぶように配置されていてもよい。このとき、前記複数の突起列は、前記突起が３つ直列に並んだ第１の突起列と、前記突起が４つ直列に並んだ第２の突起列とが、前記周壁部の周方向に交互に配置されているのが好ましい。また、前記複数の突起列の各々において、直列に並んだ隣り合う突起どうしの間隔が、人間の手における隣り合う指の腹部の間隔に略等しくなるように設定されていてもよい。さらに、前記周壁部、前記底部及び前記複数の突起列が、いずれも陶器で形成されていてもよい。これらの構成によれば、飲用食器を持つ指の数に合わせて突起を配置することができ、ツボ押しの効果をより高めることが可能となる。
【図面の簡単な説明】
【００１１】
【図１】本考案の代表的な一例による飲用食器の概要を示す図であって、図１（ａ）は側面図を示し、図１（ｂ）は上面図を示している。
【図２】図１に示した本考案による飲用食器を手で持ったときの概要を示す上面図である。
【図３】図２のＡ−Ａ面で切った仮想断面を示す側面図である。
【図４】本考案の変形例による飲用食器の概要を示す側面図である。
【考案を実施するための形態】
【００１２】
以下、本考案による飲用食器の具体的な構成について図１乃至図４を用いて説明する。なお、以下の説明において、「飲用食器」とは、液体の飲料を飲む際に用いる容器であって、例えば、茶わん、グラス、コップ等を意味するものとする。
【００１３】
図１は、本考案の代表的な一例による飲用食器の概要を示す図であって、図１（ａ）は側面図を示し、図１（ｂ）は上面図を示している。図１（ａ）に示すように、本考案による飲用食器１００は、略円筒状の周壁部１１０と、当該周壁部１１０の一端に一体的に設けられた底部１１２と、底部１１２の底面に形成された脚部１１４と、を含む。また、図１（ｂ）に示すように、周壁部１１０には、その外面において径方向に放射状に突出する複数の突起列１２０、１３０が一体的に形成されている。ここで、飲用食器１００を構成する周壁部１１０、底部１１２、脚部１１４並びに複数の突起列１２０及び１３０は、いずれも同一の材料、例えば陶器、ガラスあるいはプラスチック等で形成されている。
【００１４】
複数の突起列は、それぞれ先端が先細形状に突出する突起により形成された第１の突起列１２０及び第２の突起列１３０を含む。第１の突起列１２０は、上記周壁部１１０の高さ方向に沿って、４つの突起１２１、１２２、１２３、１２４が直列に並ぶように配置されており、第２の突起列１３０は、同様に上記周壁部１１０の高さ方向に沿って、３つの突起１３１、１３２、１３３が直列に並ぶように配置されている。また、図１に示すように、好ましい具体例としては、周壁部１１０には、第１の突起列１２０と第２の突起列１３０とが、周方向に交互に配置されている。これにより、突起列の形成密度を上げることができる。さらに、複数の突起１２１乃至１２４及び１３１乃至１３３は、例えば略円錐形状に形成されており、好ましくは、その先端は面取りあるいは丸め加工が施されている。これにより、先細形状の突起が手を傷つけたりするのを抑制できる。
【００１５】
図２は、図１に示した本考案による飲用食器を手で持ったときの概要を示す上面図である。図２に示すように、本考案による飲用食器１００を人間の手（例えば右手）１５０で持った場合、飲用食器１００の周壁部１１０に形成された複数の突起列１２０及び１３０が、掌部１５１並びに親指１５２及び人差し指１５３乃至小指（図示せず）に、それぞれ局所的に当接する。これにより、複数の突起列１２０及び１３０の個々の突起（図１参照）は、手１５０で飲用食器１００を持った際の滑り止めの機能を果たすとともに、例えば熱いお茶等の飲料を入れた場合にも、手１５０への伝熱が局所的になるため、断熱の機能をも果たす。
【００１６】
図３は、図２のＡ−Ａ面で切った仮想断面を示す側面図である。上記のとおり、本考案による飲用食器１００の周壁部１１０には、手１５０の指の数に対応した４つの突起１２１乃至１２４が直列に配置された第１の突起列１２０が形成されている。この飲用食器１００を図２に示したように手１５０で持ち上げた場合、図３に示すように、４本の指（人差し指１５３、中指１５４、薬指１５５、小指１５６）が、それぞれ第１の突起列１２０の個々の突起１２１乃至１２４に当接する。このとき、好ましくは、第１の突起列１２０において、直列に隣り合う２つの突起（例えば突起１２１と突起１２２）の先端部の間隔Ｄ１が、手１５０の隣り合う２本の指（例えば人差し指１５３と中指１５４）の中心間隔Ｄ２と略等しくなるように設定されている。そして、図２に示すように、飲用食器１００を飲料を入れた状態で持ち上げると、手１５０は飲用食器１００を外周から内側に握るように力を加えることになるため、４本の指１５３乃至１５６には、４つの突起１２１乃至１２４からそれぞれ反力Ｒを受けることになる。この反力Ｒが４本の指１５３乃至１５６のツボ（経穴）を押すあるいは刺激することにより、脳に間接的な刺激を与えることができる。これにより、周壁部１１０に形成された第１の突起列１２０は、肩こりの予防や疲労回復あるいはリラックス効果等を得られるという健康増進機能、さらには脳を刺激することにより認知症を予防する機能をも備えることができる。なお、図３では第１の突起列１２０と手１５０との関係を例示したが、例えば掌部１５１に当接する第２の突起列１３０の突起１３１乃至１３３についても、同様の機能を有する。
【００１７】
かかる構成により、本考案による飲用食器１００は、周壁部１１０の外面に、当該周壁部１１０の径方向に放射状でかつ先端が先細形状に突出する、複数の突起１２１乃至１２４を含む第１の突起列１２０と複数の突起１３１乃至１３３を含む第２の突起列１３０とが一体的に形成されていることにより、規則的（直列）に配置された複数の突起が、手持ちの際に手１５０の指１５３乃至１５６あるいは掌部１５１のツボ押しをすることで、脳に刺激を与えて健康増進機能あるいは認知症予防機能を追加できるとともに、上記複数の突起列１２０及び１３０と周壁部１１０とが一体的に形成されていることにより、突起列を取り付ける追加的な工程を要せず、製造時間の短縮も図ることが可能となる。
【００１８】
図４は、本考案の変形例による飲用食器の概要を示す側面図である。図４に示すように、本考案の変形例による飲用食器１００は、底部に形成された脚部１１４に対して、上端に向かうにしたがって拡径する略筒状の周壁部１１０と、当該周壁部１１０の外面において径方向に放射状かつ一体的に突出する複数の突起列１２０、１３０と、を含む。複数の突起列１２０及び１３０における突起は、上記周壁部１１０の高さ方向に沿って直列に並ぶように配置されている。かかる構成により、外観上で丸みを帯びた飲用食器１００とすることができ、人間の手になじみやすい形状とすることができる。
【００１９】
以上、本考案による実施例及びこれに基づく変形例を説明したが、本考案は必ずしもこれらの例に限定されるものではない。また、当業者であれば、本考案の主旨又は添付した実用新案登録請求の範囲を逸脱することなく、様々な代替実施例及び改変例を見出すことができるであろう。
【００２０】
例えば、上記した実施例では、複数の突起列を構成する複数の突起が略円錐形状である場合を例示したが、周壁部から先細形状に突出するものであれば、例えば三角錐や四角錐等の角錐形状を採用してもよい。また、上記実施例では、いわゆる湯飲み茶わんの形状のものを例示したが、手で持ったときに上記の健康増進機能や認知症予防機能を発揮できるものであれば、例えば取っ手を備えたカップの周壁部に対して上記複数の突起列を形成するように構成することを妨げるものではない。
【符号の説明】
【００２１】
１００  飲用食器
１１０  周壁部
１１２  底部
１１４  脚部
１２０  第１の突起列
１２１、１２２、１２３、１２４  突起
１３０  第２の突起列
１３１、１３２、１３３  突起
１５０  手
１５１  掌部
１５２、１５３、１５４、１５５、１５６  指
【図１】
0003212393.tif 000003
【図２】
0003212393.tif 000004
【図３】
0003212393.tif 000005
【図４】
0003212393.tif 000006